(57)【特許請求の範囲】
【請求項１】
飲料を収容する容器本体に取り付けられる蓋ユニットであって、
前記容器本体の上端部に取り付けられるとともに前記容器本体の飲料を導出するための開口を有する蓋本体と、
弁体と、前記弁体を保持するものであり、前記弁体が前記開口の縁部に密着した閉じ位置と前記弁体が前記開口の縁部から上に離れた開き位置との間で予め設定された支持軸を中心として揺動可能に前記蓋本体に取り付けられた揺動部材と、前記閉じ位置に向けて前記揺動部材を蓋本体に対して付勢する付勢部材と、を有する開閉ユニットと、
前記蓋本体に取り付けられて前記開閉ユニットを上から覆うカバーと、を備え、
前記揺動部材は、前記支持軸の一方側において弁体を保持する弁体保持部と、前記支持軸の他方側に設けられて使用者が揺動部材を開き位置に向けて操作するための被操作部と、を有し、
前記蓋ユニットは、
前記揺動部材の被操作部を上に開放しつつ前記揺動部材における被操作部の前記支持軸側の少なくとも一部を上から覆った状態で前記カバーが前記蓋本体に着脱可能に取り付けられるように前記蓋本体に対する前記カバーの上からの螺合を許容するねじ機構と、
前記蓋本体に対して前記カバーが螺合した状態で前記カバーを取り外す方向の前記カバーの回転を前記付勢部材の付勢力を利用して規制する一方、前記揺動部材が開き位置に操作されることにより前記規制を解除する規制機構と、をさらに備えている、蓋ユニット。
【請求項２】
請求項１に記載の蓋ユニットであって、
前記揺動部材は、前記支持軸よりも前記被操作部側の位置で前記揺動部材の上面から上向きに突出する突出部を有し、
前記カバーは、当該カバーの回転動作に応じて前記突出部の上面に接触して当該突出部を押下げる押下げ面と、前記押下げ面から上に窪むとともに前記カバーの回転動作に応じて前記付勢部材の付勢力を利用して前記突出部と嵌合する嵌合部と、を有し、
前記規制機構は、前記突出部、前記押下げ面、及び前記嵌合部を有する、蓋ユニット。
【請求項３】
請求項１又は２に記載の蓋ユニットであって、
前記蓋本体は、前記揺動部材の被操作部が側方に突出した状態で前記揺動部材における被操作部の前記支持軸側の部分の周囲を取り囲む周壁部と、前記周壁部の内面に設けられた雌ねじ部と、を有し、
前記カバーは、前記揺動部材における前記周壁部に囲まれた部分を上から覆うカバー本体と、前記カバー本体から下に突出するとともに前記周壁部の内側に挿入される被挿入部と、前記被挿入部の外面に設けられて前記雌ねじ部に螺合する雄ねじ部と、を有し、
前記ねじ機構は、前記雌ねじ部及び前記雄ねじ部を有する、蓋ユニット。
【請求項４】
請求項３に記載の蓋ユニットであって、
前記カバーは、前記ねじ機構による前記カバーの回転中心軸に沿って前記カバー本体から下に延びる位置決めピンを有し、
前記蓋本体は、前記位置決めピンを上から受入可能で、当該位置決めピンを回転可能に支持する軸受け部を有し、
前記位置決めピンと前記軸受け部とのクリアランスは、前記雄ねじ部と前記雌ねじ部とのクリアランスよりも小さい、蓋ユニット。
【請求項５】
請求項４に記載の蓋ユニットであって、
前記揺動部材は、前記回転中心軸を通り、かつ、前記周壁部の直径方向に沿って配置されており、さらに、前記位置決めピンを挿通する貫通孔を有し、
前記貫通孔は、前記閉じ位置と前記開き位置との間の前記揺動部材の移動過程において当該揺動部材と前記位置決めピンとの接触を避ける大きさを有する、蓋ユニット。
【請求項６】
請求項３〜５の何れか１項に記載の蓋ユニットであって、
前記カバー本体は、前記揺動部材における前記周壁部に囲まれた部分の全体を上から覆う形状を有し、
前記蓋本体は、前記周壁部から外側に突出する導出部と、前記導出部及び前記周壁部を通じて前記導出部の外側と前記周壁部の内側とをつなぐ導出孔と、を有する、蓋ユニット。
【請求項７】
請求項１〜６に記載の蓋ユニットであって、
前記カバーは、使用者により把持される取手部を有する、蓋ユニット。
【発明の詳細な説明】
【技術分野】
【０００１】
本発明は、飲料容器の容器本体の上端部に取り付けられる蓋ユニットに関する。
【背景技術】
【０００２】
従来から、飲料を収容する容器本体と、容器本体の上部開口を閉じるように当該容器本体の上端部に取り付けられた蓋ユニット（蓋部）と、を有する飲料容器（例えば、特許文献１）が知られている。
【０００３】
特許文献１に記載の蓋ユニットは、容器本体の上端部に取り付けられる蓋本体と、容器本体内の飲料を導出するために蓋本体に形成された開口を開閉するための開閉ユニットと、蓋本体に取り付けられて開閉ユニットを上から覆うカバー（蓋カバー）と、を有する。
【０００４】
開閉ユニットは、弁体と、弁体を保持するものであり、弁体が開口縁部に上から密着した閉じ位置と弁体が開口縁部から上に離れた開き位置との間で予め設定された支持軸を中心として揺動可能に蓋本体に取り付けられた揺動部材（シーソー部材）と、閉じ位置に向けて揺動部材を蓋本体に対して付勢する付勢部材（スプリング）と、を備えている。
【０００５】
具体的に、揺動部材は、支持軸の一方側において弁体を保持する弁体保持部と、支持軸の他方側に設けられて使用者が揺動部材を開き位置に向けて操作するための被操作部と、を有する。
【０００６】
カバーは、揺動部材の被操作部を開放しつつ揺動部材の被操作部の支持軸側の部分を上から覆うように蓋本体に取り付けられている。これにより、揺動部材の操作性を確保しながら外観を良好にすることができる。
【０００７】
具体的に、使用者は、カバーから開放された揺動部材の被操作部を操作することにより揺動部材を開き位置に揺動させて容器本体内の飲料を導出することができる。一方、使用者が被操作部から手を離すと、揺動部材は、付勢部材の付勢力によって閉じ位置に揺動する。そして、このような揺動部材（例えば、弁体）の動作をカバーによって隠すことにより外観を良好にすることができる。
【先行技術文献】
【特許文献】
【０００８】
【特許文献１】特開２０１５−１０７３０４号公報
【発明の概要】
【発明が解決しようとする課題】
【０００９】
ここで、カバーによって覆われた部分の清掃やカバーによって覆われた部品の交換等のメンテナンスの作業性を考慮すると、カバーは、蓋本体に着脱可能に取り付けられていることが好ましい。
【００１０】
その反面、カバーが使用者の意に反して蓋本体から外れると使用者がカバーを蓋本体に取り付けるという不必要な手間が生じるという問題が生じる。
【００１１】
しかし、特許文献１では、これらの点が考慮されていない。
【００１２】
本発明の目的は、不必要な手間を生じさせることなく清掃やメンテナンスの作業性及び揺動部材の操作性を向上することができる見栄えのよい飲料容器の蓋ユニットを提供することにある。
【課題を解決するための手段】
【００１３】
上記課題を解決するために、本発明は、飲料を収容する容器本体に取り付けられる蓋ユニットであって、前記容器本体の上端部に取り付けられるとともに前記容器本体の飲料を導出するための開口を有する蓋本体と、弁体と、前記弁体を保持するものであり、前記弁体が前記開口の縁部に密着した閉じ位置と前記弁体が前記開口の縁部から上に離れた開き位置との間で予め設定された支持軸を中心として揺動可能に前記蓋本体に取り付けられた揺動部材と、前記閉じ位置に向けて前記揺動部材を蓋本体に対して付勢する付勢部材と、を有する開閉ユニットと、前記蓋本体に取り付けられて前記開閉ユニットを上から覆うカバーと、を備え、前記揺動部材は、前記支持軸の一方側において弁体を保持する弁体保持部と、前記支持軸の他方側に設けられて使用者が揺動部材を開き位置に向けて操作するための被操作部と、を有し、前記蓋ユニットは、前記揺動部材の被操作部を上に開放しつつ前記揺動部材における被操作部の前記支持軸側の少なくとも一部を上から覆った状態で前記カバーが前記蓋本体に着脱可能に取り付けられるように前記蓋本体に対する前記カバーの上からの螺合を許容するねじ機構と、前記蓋本体に対して前記カバーが螺合した状態で前記カバーを取り外す方向の前記カバーの回転を前記付勢部材の付勢力を利用して規制する一方、前記揺動部材が開き位置に操作されることにより前記規制を解除する規制機構と、をさらに備えている、蓋ユニットを提供する。
【００１４】
本発明によれば、ねじ機構を介して蓋本体にカバーを取り付けることにより、揺動部材の被操作部を上に開放しつつ当該揺動部材の被操作部の支持軸側の部分をカバーによって上から覆うことができる。そのため、揺動部材の操作性を確保しながら蓋ユニットの見栄えを良好にすることができる。
【００１５】
また、カバーは、ねじ機構によって蓋本体に着脱可能に取り付けられているため、揺動部材のカバーによって覆われた部分の清掃やメンテナンスの作業性を向上することができる。
【００１６】
さらに、規制機構によってカバーを取り外す方向の当該カバーの回転を付勢部材の付勢力を利用して規制することができる。そのため、付勢部材の付勢力に抗して揺動部材を開き位置に操作し、さらにカバーを回転したときに、カバーを取り外すことができる。このようにカバーの取り外しに２つの操作の組み合わせを要求することにより、意に反したカバーの取り外しを防止することができる。
【００１７】
したがって、本発明によれば、不必要な手間を生じさせることなく清掃やメンテナンスの作業性及び揺動部材の操作性を向上することができる見栄えのよい飲料容器の蓋ユニットを提供することができる。
【００１８】
ここで、カバーに下向きに突出する突出部が設けられ、揺動部材の支持軸よりも被操作部側の位置に、カバーの回転動作に応じて突出部の下面に当接して当該突出部により押下げられる面と当該面から下に窪むとともにカバーの回転動作に応じて付勢部材の付勢力を利用して突出部と嵌合する嵌合部とが設けられている構成を採用することもできる。しかし、この場合、カバーの回転動作に伴い突出部が回転しながら下降するため、当該突出部との接触を避けるために蓋本体の形状が制約されるという問題がある。
【００１９】
そこで、前記蓋ユニットにおいて、前記揺動部材は、前記支持軸よりも前記被操作部側の位置で前記揺動部材の上面から上向きに突出する突出部を有し、前記カバーは、当該カバーの回転動作に応じて前記突出部の上面に接触して当該突出部を押下げる押下げ面と、前記押下げ面から上に窪むとともに前記カバーの回転動作に応じて前記付勢部材の付勢力を利用して前記突出部と嵌合する嵌合部と、を有し、前記規制機構は、前記突出部、前記押下げ面、及び前記嵌合部を有することが好ましい。
【００２０】
この態様によれば、揺動部材に突出部が設けられているとともに当該突出部に接触する押下げ面及び突出部に嵌合する嵌合部（窪み）が揺動部材に設けられている。そのため、突出部がカバーに設けられている場合と異なり、突出部の回転及び下降を伴うことなくカバーを蓋本体に取り付けることができる。
【００２１】
したがって、蓋本体の設計の自由度を向上することができる。
【００２２】
前記蓋ユニットにおいて、前記蓋本体は、前記揺動部材の被操作部が側方に突出した状態で前記揺動部材における被操作部の前記支持軸側の部分の周囲を取り囲む周壁部と、前記周壁部の内面に設けられた雌ねじ部と、を有し、前記カバーは、前記揺動部材における前記周壁部に囲まれた部分を上から覆うカバー本体と、前記カバー本体から下に突出するとともに前記周壁部の内側に挿入される被挿入部と、前記被挿入部の外面に設けられて前記雌ねじ部に螺合する雄ねじ部と、を有し、前記ねじ機構は、前記雌ねじ部及び前記雄ねじ部を有することが好ましい。
【００２３】
この態様によれば、周壁部によって揺動部材における被操作部の支持軸側の部分を側方から覆うことができるとともに当該周壁部に設けられた雌ねじ部にカバーの雄ねじ部を螺合することにより周壁部に囲まれた部分をカバー本体によって上から覆うことができる。
【００２４】
したがって、雌ねじ部が設けられた周壁部を利用して蓋ユニットの外観をより良好なものにすることができる。
【００２５】
ここで、雌ねじ部に対する雄ねじ部の螺合のみによってカバーが蓋本体に位置決めされる構成とすることもできるが、両ねじ部の確実な螺合を実現するために両ねじ部間に設定すべきクリアランスは比較的大きい。そのため、カバーが蓋本体に対して位置ずれした状態で当該カバーが蓋本体に取り付けられて、蓋ユニットの外観が損なわれるおそれがある。
【００２６】
そこで、前記蓋ユニットにおいて、前記カバーは、前記ねじ機構による前記カバーの回転中心軸に沿って前記カバー本体から下に延びる位置決めピンを有し、前記蓋本体は、前記位置決めピンを上から受入可能で、当該位置決めピンを回転可能に支持する軸受け部を有し、前記位置決めピンと前記軸受け部とのクリアランスは、前記雄ねじ部と前記雌ねじ部とのクリアランスよりも小さいことが好ましい。
【００２７】
この態様によれば、位置決めピンが軸受け部に支持されることによってカバーの蓋本体に対する位置ずれを低減することができるため、蓋ユニットの外観が損なわれるのを抑制することができる。
【００２８】
ここで、揺動部材が回転中心軸を通り、かつ、周壁部の直径方向に沿って配置されていれば、周壁部の大きさを維持したまま当該周壁部の直径寸法を利用して揺動部材を長くすることができる。そのため、例えば、揺動部材における支点（支持軸）から力点（被操作部）までの距離を長くすることにより当該揺動部材を開位置に操作するための使用者の力を軽減することができる。
【００２９】
一方、この場合には、揺動部材が回転中心軸を通るため位置決めピンと揺動部材とが干渉するという問題が生じる。
【００３０】
そこで、前記蓋ユニットにおいて、前記揺動部材は、前記回転中心軸を通り、かつ、前記周壁部の直径方向に沿って配置されており、さらに、前記位置決めピンを挿通する貫通孔を有し、前記貫通孔は、前記閉じ位置と前記開き位置との間の前記揺動部材の移動過程において当該揺動部材と前記位置決めピンとの接触を避ける大きさを有することが好ましい。
【００３１】
この態様によれば、上述のように周壁部の大きさを維持したまま揺動部材を長くすることができるとともに、当該揺動部材と位置決めピンとの接触を防止することができる。
【００３２】
前記蓋ユニットにおいて、前記カバー本体は、前記揺動部材における前記周壁部に囲まれた部分の全体を上から覆う形状を有し、前記蓋本体は、前記周壁部から外側に突出する導出部と、前記導出部及び前記周壁部を通じて前記導出部の外側と前記周壁部の内側とをつなぐ導出孔と、を有することが好ましい。
【００３３】
この態様によれば、揺動部材の被操作部と反対側の端部の全体を周壁部及びカバー本体によって側方及び上方から覆うことにより蓋ユニットの外観をより良好にすることができる。
【００３４】
一方、この構成においては蓋本体の開口も上及び側方から覆われた状態となる。そこで、前記態様では、開口から導出された飲料を導出孔を通じて周壁部の外側に導出するように構成されている。
【００３５】
具体的に、導出部の外側と周壁部の内側とをつなぐように前記導出孔が導出部を通じて形成されている。そのため、導出孔が導出部の上側の壁部によって上から覆われていることにより、導出孔内に上から埃等の異物が入り込むのを防止することができる。
【００３６】
前記蓋ユニットにおいて、前記カバーは、使用者により把持される取手部を有することが好ましい。
【００３７】
この態様によれば、使用者は、カバーに設けられた取手部を持って蓋ユニット及びこれに取り付けられた容器本体を持ち上げることができる。
【００３８】
ここで、従来のようにカバーが使用者の意に反して容器本体から外れてしまうと蓋本体、開閉ユニット、及び容器本体が落下して、これらが破損するおそれがある。しかし、前記態様では、上述のようにカバーを蓋本体から取り外すために２つの操作の組み合わせが要求されることにより、意に反したカバーの取り外しが防止されている。
【００３９】
したがって、前記態様によれば、蓋本体及び開閉ユニット等の破損を防止しつつ取手部を用いた持ち運びを実現することができる。
【発明の効果】
【００４０】
本発明によれば、不必要な手間を生じさせることなく清掃やメンテナンスの作業性及び揺動部材の操作性を向上することができる見栄えのよい飲料容器の蓋ユニットを提供することができる。
【図面の簡単な説明】
【００４１】
【図１】本発明の実施形態に係る飲料容器を示す断面図であり、揺動部材が閉じ位置にある状態を示す。
【図２】図１の一部を拡大して示す断面図であり、揺動部材が開き位置にある状態を示す。
【図３】図１に示す蓋本体の平面図である。
【図４】図３のＩＶ−ＩＶ線断面図である。
【図５】図１に示す揺動部材の平面図である。
【図６】図５に示す揺動部材の側面図である。
【図７】図６のＶＩＩ矢視図である。
【図８】図１に示すカバーの底面図である。
【図９】図８に示すカバーの側面図である。
【図１０】揺動部材に対するカバーの動作を説明するための側面図であり、突出部の嵌合前の状態を示すものである。
【図１１】揺動部材に対するカバーの動作を説明するための側面図であり、突出部が嵌合した状態を示すものである。
【発明を実施するための形態】
【００４２】
以下添付図面を参照しながら、本発明の実施の形態について説明する。なお、以下の実施の形態は、本発明を具体化した例であって、本発明の技術的範囲を限定する性格のものではない。
【００４３】
図１及び図２は、本発明の実施形態に係る飲料容器１を示す断面図である。
【００４４】
図１及び図２を参照して、飲料容器１は、飲料を収容する容器本体２と、容器本体２の上部の開口２ｂを閉じるように当該容器本体２の上端部に取り付けられた蓋ユニット３と、容器本体２と蓋ユニット３との間に設けられたパッキン４と、を備えている。
【００４５】
容器本体２は、開口２ｂの周囲を取り囲む周壁部（上端部）の外側面に設けられた外ねじ部２ａを有する。
【００４６】
蓋ユニット３は、容器本体２の上端部に取り付けられるとともに容器本体２の飲料を導出するための開口１２ａを有する蓋本体５と、開口１２ａを開閉するための開閉ユニット６と、蓋本体５に取り付けられて開閉ユニット６を上から覆うカバー７と、を有する。
【００４７】
図３は、図１に示す蓋本体５の平面図であり、図４は、図３のＩＶ−ＩＶ線断面図である。
【００４８】
図１〜図４を参照して、蓋本体５は、容器本体２に取り付けられる被取付部８と、開閉ユニット６を側方から覆う側壁部９と、容器本体２及び蓋ユニット３を持ち上げるときに把持される把持部１０と、を有する。
【００４９】
被取付部８は、容器本体２の外ねじ部２ａに螺合する雌ねじが形成された筒状の内ねじ部１１と、内ねじ部１１の上部開口を閉じる天板部１２と、天板部１２上で開閉ユニット６を支持する第１支持部１３と、天板部１２上に立設された一対の支持板１４と、両支持板１４の上端部にそれぞれ設けられた第２支持部１５と、軸受け部１６と、を有する。
【００５０】
天板部１２は、内ねじ部１１の雌ねじが容器本体２の外ねじ部２ａに螺合することにより、当該容器本体２の上端面との間でパッキン４を挟持する下面を有する。つまり、パッキン４は、天板部１２の下面と容器本体２の上端面との間に設けられている。これにより、容器本体２の開口２ｂは、天板部１２によって閉じられる。
【００５１】
また、天板部１２は、円筒状の内ねじ部１１の中心軸（以下、回転中心軸Ｊ１という）上に中心を有する円盤状に形成されている。天板部１２の回転中心軸Ｊ１上には、軸受け部１６が設けられている。また、天板部１２は、回転中心軸Ｊ１（軸受け部１６）から外れた位置で容器本体２内の飲料を導出するために当該天板部１２の上部と下部とをつなぐ開口１２ａを有する。
【００５２】
第１支持部１３は、軸受け部１６を基準として開口１２ａと反対側の位置で天板部１２上に立設されている。また、第１支持部１３は、天板部１２から立ち上がる脚部（符号省略）と、脚部の上端部に形成された円柱状の支持部（符号省略）と、を有する。支持部は、平面視で軸受け部１６と開口１２ａとを結ぶ方向（以下、前後方向という）及び上下方向と直交する方向（以下、左右方向という）の軸（以下、支持軸Ｊ２という）に沿って延びる。なお、前後方向において軸受け部１６に対して開口１２ａが設けられている側を前側とする。
【００５３】
一対の支持板１４は、第１支持部１３を左右方向に挟むように当該第１支持部１３の左右両側の位置に設けられている。また、一対の支持板１４は、第１支持部１３と左右に並ぶ前位置から天板部１２の後縁部上の後ろ位置までの領域に亘って前後方向に沿って延びている。
【００５４】
各第２支持部１５は、支持板１４から第１支持部１３に向けて延びる円柱状の部分である。第２支持部１５の中心軸は、支持軸Ｊ２上に配置されている。
【００５５】
側壁部９は、天板部１２上に立設された周壁部１７と、周壁部１７の前部から前向き（外側）に延びる導出部１８と、周壁部１７の後部から後ろに延びる一対の延出部１９と、周壁部１７の内面に設けられた一対の雌ねじ１７ａと、を有する。
【００５６】
周壁部１７は、上述した第１支持部１３、支持板１４、及び軸受け部１６の高さ寸法よりも大きな高さ寸法を持って天板部１２上に立設されている。また、周壁部１７は、平面視で円弧形状を有する。具体的に、周壁部１７は、回転中心軸Ｊ１上に設けられた軸を中心として一方の支持板１４から他方の支持板までの領域に亘って設けられた円弧状の壁部である。
【００５７】
一対の雌ねじ１７ａは、回転中心軸Ｊ１を中心とするカバー７の回転によって当該カバー７の上からの螺合を許容するものである。また、両雌ねじ部１７ａは、第１支持部１３、支持板１４、及び軸受け部１６を挟んで左右対称の位置に設けられているとともに、これらよりも高い位置に設けられている。
【００５８】
一対の延出部１９は、周壁部１７の後端部のそれぞれから後ろに延びるとともに左右方向に互いに対向する。また、各延出部１９は、他方の延出部１９に向けて延びるロック用突起１９ａを有する。ロック用突起１９ａの機能は後述する。
【００５９】
導出部１８は、周壁部１７の前部から前（外側）に突出する。ここで、側壁部９には、導出部１８及び周壁部１７を通じて導出部１８の前（外側）と周壁部１７の内側とをつなぐ導出孔１８ａが設けられている。容器本体２の飲料は、開口１２ａ及び導出孔１８ａを通じて蓋ユニット３の外部まで導かれる。
【００６０】
把持部１０は、使用者が把持するための把持部本体２０と、把持部本体２０と被取付部８とを連結するための連結部２１と、を有する。
【００６１】
把持部本体２０は、側壁部９の一対の延出部１９の後端部及び連結部２１の後端部に接続された上端部を有し、当該上端部から下に延びる形状を有する。
【００６２】
連結部２１は、天板部１２と平行に配置されているとともに内ねじ部１１の後面から後ろに延びる連結板部２１ａと、連結板部２１ａ上に立設された一対のリブ２１ｂと、を有する。一対のリブ２１ｂは、両ロック用突起１９ａの内側位置で前後方向に延びるとともに左右方向に対向する。また、一対のリブ２１ｂの上面は、天板部１２の上面と略同じ高さに配置されている。
【００６３】
図１及び図２を参照して、開閉ユニット６は、弁体２３と、弁体２３を保持するものであり、弁体２３が開口１２ａの縁部に密着した閉じ位置（図１に示す位置）と弁体２３が開口１２ａの縁部から上に離れた開き位置（図２に示す位置）との間で支持軸Ｊ２を中心として揺動可能に蓋本体５に取り付けられた揺動部材２２と、閉じ位置に向けて揺動部材２２を付勢する付勢部材２４と、揺動部材２２の閉じ位置から開き位置へ向けた移動をロックするロック部材２５と、を備えている。
【００６４】
弁体２３は、当該弁体２３と開口１２ａの縁部との間で飲料の流れを規制するように開口１２ａの縁部に密着可能な弾性部材によって形成されている。
【００６５】
図５は、揺動部材２２の平面図であり、図６は、揺動部材２２の側面図であり、図７は、図６のＶＩＩ矢視図である。
【００６６】
図１、図２、図５〜図７を参照して、揺動部材２２は、本体部２６と、本体部２６から下向きに延びるとともに第１支持部１３に支持される第１被支持部２７と、第１被支持部２７の左右両側で本体部２６から下向きに延びる一対の側板２８と、を備えている。
【００６７】
本体部２６は、揺動部材２２が閉じ位置にある状態で天板部１２と略平行に配置される板状の部材である。
【００６８】
第１被支持部２７は、本体部２６の前後方向の中間部において当該本体部２６の下面から下に延びる脚部（符号省略）と、脚部の下端部において支持軸Ｊ２と平行な軸に沿って延びる円柱状の被支持部（符号省略）と、を有する。
【００６９】
一対の側板２８は、蓋本体５の一対の支持板１４同士の間に挿入されている。また、両側板２８は、当該両側板２８を左右方向に貫通するとともに下向きに開口する第２被支持部２８ａをそれぞれ有する。第２被支持部２８ａは、前記第２支持部１５の下からの挿入を許容し、かつ、挿入された第２支持部１５が支持軸Ｊ２を中心として回転可能に支持される形状を有する。具体的に、第２被支持部２８ａは、上述した第２支持部１５の直径寸法と同一又はこれよりも少し大きい直径寸法を有するとともに、支持軸Ｊ２上に配置された中心軸を有する側面視円形の円形部（符号省略）と、円形部から下に延びる開口部（符号省略）と、を有する。
【００７０】
円形部は、当該円形部に挿入された第２支持部１５を下に抜け出るのを規制するための抜止部分（円形部の後部：図６参照）を有する。具体的に、傾斜部は、前記抜止部分が形成されるように円形部から前向きに傾斜して設けられている。したがって、第２支持部１５が第２被支持部２８ａに挿入された状態において、揺動部材２２は、支持軸Ｊ２を中心として揺動可能で、かつ、蓋本体５からの取り外しが規制された状態で当該蓋本体５に取り付けられている。
【００７１】
なお、揺動部材２２が蓋本体５に取り付けられた状態において、上述した第１支持部１３の支持部は第１被支持部２７の前面及び本体部２６の下面に接触するとともに、第１被支持部２７の被支持部は第１支持部１３の支持部の下面に接触している。この構成によっても、蓋本体５に対する揺動部材２２の揺動が補助され、かつ、蓋本体５からの揺動部材２２の取り外しの規制が補助されている。
【００７２】
さらに、揺動部材２２は、支持軸Ｊ２の一方側（前側）において弁体２３を保持する弁体保持部２９と、支持軸Ｊ２の他方側（後ろ側）に設けられて使用者が揺動部材２２を開き位置に向けて操作するための被操作部３１と、支持軸Ｊ２の他方側（後ろ側）で付勢部材を保持する付勢部材保持部３０と、を有する。
【００７３】
弁体保持部２９は、本体部２６における支持軸Ｊ２の前側の部分から下に突出する筒状の部分である。弁体２３は、開口１２ａの縁部に密着する栓体本体（符号省略）と、弁体保持部２９の外側に被せられた外筒（符号省略）と、弁体保持部２９の内側に挿入された内筒（符号省略）と、を有する。弁体保持部２９は、弁体２３の外筒及び内筒が弁体保持部２９を挟む力を利用して、当該弁体２３を保持している。
【００７４】
被操作部３１は、本体部２６の後端部上に立設された連結壁（符号省略）を介して当該本体部２６の後端部に連結された揺動部材２２の後端部であり、側面視で略円弧状の形状を有する。
【００７５】
また、被操作部３１には、ロック部材２５が取り付けられている。具体的に、ロック部材２５は、使用者によって操作される被操作板２５ａと、被操作板２５ａから延びる延出片２５ｂと、を有する。被操作板２５ａは、平面視で被操作部３１の上面に沿った略円弧形状を有し、当該被操作部３１の上面に沿って配置されている。延出片２５ｂは、被操作部３１を上下に貫通するとともに前後方向に延びる貫通孔（符号省略）を通じて被操作板２５ａから被操作部３１の下の位置まで延びている。
【００７６】
ロック部材２５は、揺動部材２２に対して後ろに移動したロック解除位置（図１及び図２に示す位置）と、揺動部材２２に対して前に移動したロック位置（図示省略）と、の間で前後方向にスライド可能に揺動部材２２に取り付けられている。ロック部材２５がロック位置にスライドすると、延出片２５ｂが蓋本体５のロック用突起１９ａに当接することにより揺動部材２２の閉じ位置から開き位置への移動がロックされる。一方、図１及び図２に示すように、ロック部材２５がロック解除位置にスライドすると、延出片２５ｂがロック用突起１９ａから後ろに退避した位置に移動することにより揺動部材２２の閉じ位置から開き位置への移動が許容される。
【００７７】
付勢部材保持部３０は、支持軸Ｊ２の後ろ側で被操作部３１から下に延びている。付勢部材２４は、付勢部材保持部３０の外側に被せられた筒部と、筒部の下端開口を閉じる底部とを有する弾性部材である。付勢部材２４の筒部の長さ寸法は付勢部材保持部３０の長さ寸法よりも大きく設定されている。そして、上述のように、揺動部材２２が蓋本体５に取り付けられた状態において、付勢部材２４は、蓋本体５の天板部１２とリブ２１ｂとの間で縮められた状態で天板部１２とリブ２１ｂとの間に設けられている。したがって、被操作部３１が操作されていない状態では、付勢部材２４の付勢力によって揺動部材２２の後部が押し上げられて弁体２３が開口１２ａの縁部に密着する（揺動部材２２が閉じ位置に付勢される）。一方、付勢部材２４の付勢力に抗して被操作部３１が操作されると、揺動部材２２の前部が上に移動して弁体２３が開口１２ａの縁部から上に移動する（揺動部材２２が開き位置に揺動する）。
【００７８】
上述した開閉ユニット６が蓋本体５に取り付けられた状態において、揺動部材２２の被操作部３１は、蓋本体５の周壁部１７から側方（後方）に突出し、一対の延出部１９同士の間に配置されている。つまり、周壁部１７は、揺動部材２２における被操作部３１よりも前の部分（支持軸Ｊ２側の部分）の周囲を取り囲み、一対の延出部１９は、被操作部３１を左右方向の両側から覆っている。
【００７９】
また、揺動部材２２は、回転中心軸Ｊ１を通り、かつ、周壁部１７の直径方向（前後方向）に沿って（開口１２ａ、軸受け部１６、両支持部１３、１５を上から覆うように）配置されている。
【００８０】
以下、揺動部材２２における周壁部１７に囲まれた部分を上から覆うためのカバー７について図１、図２、図８、及び図９を参照して説明する。図８は、図１に示すカバー７の底面図であり、図９は、図１に示すカバー７の側面図である。
【００８１】
カバー７は、カバー本体３２と、使用者により把持される取手部３３と、カバー本体３２の下面から下に突出するとともに周壁部１７の内側に挿入される被挿入部３４と、被挿入部３４の外面に設けられた一対の雄ねじ部３５と、カバー本体３２から下に延びる位置決めピン３６と、を有する。
【００８２】
カバー本体３２は、揺動部材２２における周壁部１７に囲まれた部分の全体を上から覆う形状（周壁部１７の上部開口を覆う形状）を有する。具体的に、カバー本体３２は、円板状の部材である。また、カバー７が蓋本体５に取り付けられた状態で、カバー本体３２の下面は、開き位置に操作された本体部２６よりも上に配置されている（図２参照）。
【００８３】
取手部３３は、カバー本体３２から上方に突出するとともにカバー本体３２の２つの縁部同士をつなぐ形状を有する。したがって、使用者が取手部３３の下に指を掛けることによりカバー７及びこれに取り付けられた蓋本体５及び容器本体２を持ち上げることができる。
【００８４】
被挿入部３４は、カバー本体３２から下に突出する筒状の部分である。
【００８５】
雄ねじ部３５は、回転中心軸Ｊ１を中心として蓋本体５の雌ねじ部１７ａ（図３及び図４参照）に螺合可能である。また、一対の雄ねじ部３５は、回転中心軸Ｊ１を中心として１８０°点対称の位置に設けられている。
【００８６】
位置決めピン３６は、回転中心軸Ｊ１に沿ってカバー本体３２から下に延びている。また、位置決めピン３６は、カバー７の雄ねじ部３５を蓋本体５の雌ねじ部１７ａ（図３及び図４参照）に螺合する過程において、蓋本体５の軸受け部１６に上から挿入される。つまり、軸受け部１６は、位置決めピン３６を上から受け入れ可能で、当該位置決めピン３６を回転可能に支持する。そして、位置決めピン３６と軸受け部１６とのクリアランス（位置決めピン３６の外径寸法と軸受け部１６の内径寸法との差）は、雄ねじ部３５と雌ねじ部１７ａとのクリアランス（雄ねじ部３５のねじ山部分の直径寸法と雌ねじ部１７ａのねじ溝部分の直径寸法との差）よりも小さく設定されている。
【００８７】
なお、揺動部材２２は、回転中心軸Ｊ１を通り、かつ、周壁部１７の直径方向に沿って配置されている。そのため、揺動部材２２には、位置決めピン３６を挿通する貫通孔２６ａが形成されている。貫通孔２６ａは、閉じ位置と開き位置との間の揺動部材２２の移動過程において当該揺動部材２２と位置決めピン３６との接触を避ける大きさを有する（図１及び図２参照）。
【００８８】
このように、蓋ユニット３は、揺動部材２２の被操作部３１を上に開放しつつ揺動部材２２における被操作部３１よりも支持軸Ｊ２側の部分を上から覆った状態でカバー７が蓋本体５に着脱可能に取り付けられるように蓋本体５に対するカバー７の上から螺合を許容するねじ機構（雌ねじ部１７ａ及び雄ねじ部３５）を有する。これにより、揺動部材２２の一部を覆って外観を良好にしつつカバー７によって覆われた部分のメンテナンス等を実現することができる。
【００８９】
しかし、ねじ機構のみによりカバー７を取り付けた状態においては使用者の意に反してカバー７が蓋本体５から外れてしまうおそれがある。
【００９０】
そこで、蓋ユニット３は、蓋本体５に対してカバー７が螺合した状態でカバー７を取り外す方向のカバー７の回転を付勢部材２４の付勢力を利用して規制する一方、揺動部材２２が開き位置に操作されることにより前記規制を解除する規制機構をさらに備えている。
【００９１】
具体的に、規制機構は、揺動部材２２に設けられた突出部２６ｂ（図５〜図７参照）と、カバー７に設けられた嵌合部３４ａ及び押下げ面３４ｂ（図８及び図９参照）と、を有する。
【００９２】
図５〜図７に示すように、突出部２６ｂは、支持軸Ｊ２よりも被操作部３１側の位置で揺動部材２２の上面から上に突出する。具体的に、突出部２６ｂは、本体部２６の後端部の上面から突出している。
【００９３】
図８及び図９を参照して、押下げ面３４ｂは、カバー７の回転動作に応じて突出部２６ｂの上面に接触して当該突出部２６ｂを押下げる。具体的に、押下げ面３４ｂは、被挿入部３４の下端面によって構成されている。
【００９４】
嵌合部３４ａは、押下げ面３４ｂから上に窪むとともにカバー７の回転動作に応じて付勢部材２４の付勢力を利用して突出部２６ｂと嵌合する。具体的に、嵌合部３４ａは、被挿入部３４においてカバー７の回転方向（ねじ機構の締付方向）の押下げ面３４ｂよりも上流側の位置（カバー７を回転したときに押下げ面３４ｂの後に突出部２６ｂに到達する位置）で、かつ、被挿入部３４の下端部に形成された、下向きに開く窪みによって構成されている。
【００９５】
以下、規制機構の動作について説明する。
【００９６】
回転中心軸Ｊ１を中心としてカバー７を蓋本体５に対して取り付ける方向（ねじ機構を締め付ける方向）に回転させると、図１０に示すように、カバー７の押下げ面３４ｂが開閉ユニット６の突出部２６ｂの上面に接触する。なお、この状態においては、開閉ユニット６は、図１に示すように閉じ位置に付勢されている。
【００９７】
この状態から図１０の矢印Ｙ１に示すようにさらにカバー７を回転させると、矢印Ｙ２に示すように押下げ面３４ｂが突出部２６ｂを押下げる、つまり、図２に示すように揺動部材２２が開き位置に揺動する。
【００９８】
そして、図１１の矢印Ｙ３に示すように、カバー７の回転がさらに進行して突出部２６ｂ及び嵌合部３４ａの回転中心軸Ｊ１を中心とする周方向の位置が一致すると、付勢部材２４の付勢力によって図１１の矢印Ｙ４に示すように揺動部材２２が閉じ位置（図１参照）に復帰するとともに突出部２６ｂが嵌合部３４ａに嵌合する。
【００９９】
この嵌合状態では、突出部２６ｂの側面（図１１において右側の面）と嵌合部３４ａの内面（図１１において左側を向く面）とが当接することにより、カバー７の逆向きの回転（ねじ機構を緩める方向の回転）が規制される。
【０１００】
カバー７を蓋本体５から取り外す場合、揺動部材２２の被操作部３１を押し込むことにより図１１の矢印Ｙ５に示すように揺動部材２２を開き位置（図２参照）に操作する。これにより、突出部２６ｂが嵌合部３４ａから下に退避する。この状態を維持したまま、矢印Ｙ６に示すようにカバー７をその取り外し方向（ねじ機構を緩める方向）に回転させることにより、カバー７を蓋本体５から取り外すことができる。
【０１０１】
なお、嵌合部３４ａ及び押下げ面３４ｂは、図８に示すように、回転中心軸Ｊ１を中心として雄ねじ部３５から９０°離れた位置にそれぞれ設けられている。これにより、雄ねじ部３５と雌ねじ部１７ａとの螺合を開始するための２つの螺合開始位置のうちの何れを選択しても、２つの嵌合部３４ａ、押下げ面３４ｂのうちの１つを使用することができる。したがって、使用者がカバー７の向きを気にすることなくカバー７を蓋本体５に取り付けることができる。
【０１０２】
以上説明したように、ねじ機構を介して蓋本体５にカバー７を取り付けることにより、揺動部材２２の被操作部３１を上に開放しつつ当該揺動部材２２の被操作部３１の支持軸Ｊ２側の部分をカバー７によって上から覆うことができる。そのため、揺動部材２２の操作性を確保しながら蓋ユニット３の見栄えを良好にすることができる。
【０１０３】
また、カバー７は、ねじ機構によって蓋本体５に着脱可能に取り付けられているため、揺動部材２２のカバー７によって覆われた部分の清掃やメンテナンスの作業性を向上することができる。
【０１０４】
さらに、規制機構によってカバー７を取り外す方向の当該カバー７の回転を付勢部材２４の付勢力を利用して規制することができる。そのため、付勢部材２４の付勢力に抗して揺動部材２２を開き位置に操作し、さらにカバー７を回転したときに、カバー７を取り外すことができる。このようにカバー７の取り外しに２つの操作の組み合わせを要求することにより、意に反したカバー７の取り外しを防止することができる。
【０１０５】
したがって、不必要な手間を生じさせることなく清掃やメンテナンスの作業性及び揺動部材２２の操作性を向上することができる見栄えのよい飲料容器１の蓋ユニット３を提供することができる。
【０１０６】
また、前記実施形態によれば、以下の効果を奏することができる。
【０１０７】
揺動部材２２に突出部２６ｂが設けられているとともに当該突出部２６ｂに接触する押下げ面３４ｂ及び突出部２６ｂに嵌合する嵌合部３４ａ（窪み）が揺動部材２２に設けられている。そのため、突出部２６ｂがカバー７に設けられている場合と異なり、突出部２６ｂの回転及び下降を伴うことなくカバー７を蓋本体５に取り付けることができる。
【０１０８】
したがって、蓋本体５の設計の自由度を向上することができる。
【０１０９】
周壁部１７によって揺動部材２２における被操作部３１の支持軸Ｊ２側の部分を側方から覆うことができるとともに当該周壁部１７に設けられた雌ねじ部１７ａにカバー７の雄ねじ部３５を螺合することにより周壁部１７に囲まれた部分をカバー本体３２によって上から覆うことができる。
【０１１０】
したがって、雌ねじ部１７ａが設けられた周壁部１７を利用して蓋ユニット３の外観をより良好なものにすることができる。
【０１１１】
位置決めピン３６が軸受け部１６に支持されることによってカバー７の蓋本体５に対する位置ずれを低減することができるため、蓋ユニット３の外観が損なわれるのを抑制することができる。
【０１１２】
揺動部材２２が回転中心軸Ｊ１を通り、かつ、周壁部１７の直径方向に沿って配置されていれば、周壁部１７の大きさを維持したまま当該周壁部１７の直径寸法を利用して揺動部材２２を長くすることができる。一方、この場合には、揺動部材２２が回転中心軸Ｊ１を通るため位置決めピン３６と揺動部材２２とが干渉するという問題が生じる。
【０１１３】
これに対し、前記実施形態では揺動部材に貫通孔２６ａが設けられているため、周壁部１７の大きさを維持したまま揺動部材２２を長くすることができるとともに、当該揺動部材２２と位置決めピン３６との接触を防止することができる。
【０１１４】
揺動部材２２の被操作部３１と反対側の端部の全体を周壁部１７及びカバー本体３２によって側方及び上方から覆うことにより蓋ユニット３の外観をより良好にすることができる。
【０１１５】
一方、前記実施形態においては蓋本体５の開口１２ａも上及び側方から覆われた状態となる。そこで、開口１２ａから導出された飲料を導出孔１８ａを通じて周壁部１７の外側に導出するように構成されている。
【０１１６】
具体的に、導出部１８の前（外側）と周壁部の内側とをつなぐように導出孔１８ａが導出部１８を通じて形成されている。そのため、導出孔１８ａが導出部１８の上側の壁部によって上から覆われていることにより、導出孔１８ａ内に上から埃等の異物が入り込むのを防止することができる。
【０１１７】
使用者は、カバー７に設けられた取手部３３を持って蓋ユニット３及びこれに取り付けられた容器本体２を持ち上げることができる。
【０１１８】
ここで、従来のようにカバー７が使用者の意に反して容器本体２から外れてしまうと蓋本体５、開閉ユニット６、及び容器本体２が落下して、これらが破損するおそれがある。しかし、前記実施形態では、上述のようにカバー７を蓋本体５から取り外すために２つの操作の組み合わせが要求されることにより、意に反したカバー７の取り外しが防止されている。
【０１１９】
したがって、蓋本体５及び開閉ユニット６等の破損を防止しつつ取手部３３を用いた持ち運びを実現することができる。
【０１２０】
なお、本発明は、前記実施形態に限定されるものではなく、例えば、以下の態様を採用することもできる。
【０１２１】
前記実施形態では、揺動部材２２における周壁部１７に囲まれた部分の全体を上から覆うカバー７について説明したが、カバー７は揺動部材２２における被操作部３１よりも支持軸Ｊ２側の少なくとも一部を上から覆うものであればよい。
【０１２２】
カバー７が揺動部材２２の一部のみを覆う場合には、導出部１８を省略して開口１２ａから直接飲料を導出させることもできる。
【０１２３】
前記実施形態では、突出部２６ｂが揺動部材２２に設けられているとともに嵌合部３４ａ及び押下げ面３４ｂがカバー７に設けられた構成について説明した、規制機構の構成はこれに限定されない。例えば、カバー７が下向きに突出する突出部を有するとともに、カバー７の回転動作に伴い突出部の下面に接触して揺動部材２２を押下げる押下げ面、及び押下げ面から下に窪むとともにカバー７の回転動作に応じて付勢部材２４の付勢力を利用して突出部と嵌合する嵌合部が揺動部材２２における支持軸Ｊ２の被操作部３１側の位置に設けられ、規制機構は、これら突出部、押下げ面及び嵌合部を有していてもよい。
【０１２４】
前記実施形態では、蓋本体５に雌ねじ部１７ａが設けられ、カバー７に雄ねじ部３５が設けられた構成について説明したが、雌ねじ部がカバー７に設けられ、雄ねじ部３５が蓋本体５に設けられていてもよい。また、周壁部１７を省略することもできる。
【０１２５】
前記実施形態では、位置決めピン３６及び軸受け部１６を有する構成について説明したが、これらを省略することもできる。
【０１２６】
前記実施形態では、カバー７に取手部３３が設けられた構成について説明したが、取手部３３を省略することもできる。
【符号の説明】
【０１２７】
Ｊ１    回転中心軸
Ｊ２    支持軸
２    容器本体
３    蓋ユニット
５    蓋本体
６    開閉ユニット
７    カバー
１２ａ    開口
１６    軸受け部
１７    周壁部
１７ａ    雌ねじ部（ねじ機構の一例）
１８    導出部
１８ａ    導出孔
２２    揺動部材
２３    弁体
２４    付勢部材
２６ａ    貫通孔
２６ｂ    突出部（規制機構の一例）
２９    弁体保持部
３１    被操作部
３３    取手部
３４    被挿入部
３４ａ    嵌合部（規制機構の一例）
３４ｂ    押下げ面（規制機構の一例）
３５    雄ねじ部（ねじ機構の一例）
３６    位置決めピン
【図１】
0006650274.tif 000002
【図２】
0006650274.tif 000003
【図３】
0006650274.tif 000004
【図４】
0006650274.tif 000005
【図５】
0006650274.tif 000006
【図６】
0006650274.tif 000007
【図７】
0006650274.tif 000008
【図８】
0006650274.tif 000009
【図９】
0006650274.tif 000010
【図１０】
0006650274.tif 000011
【図１１】
0006650274.tif 000012